(57)【要約】【課題】汎用性があって杭部材の打ち込みが比較的容易であり、地盤への固定を確実にできる、簡易基礎及び簡易基礎の施工方法を提供する。【解決手段】構造物Ｓを支持する部分である本体部材１が杭部材貫通部１３を備え、杭部材２が杭部材貫通部１３を通って地中へと差し込まれるものであって、上記杭部材貫通部１３の１箇所当たりにおいて、少なくとも２本の杭部材２が１組として用いられ、上記１組の杭部材の組み合わせのうちで、相対的に外径の小さい１本の杭部材が、相対的に外径の大きい１本の杭部材の内部を貫通するものとされ、上記１組の杭部材の組み合わせのうち、相対的に外径の小さい杭部材は、相対的に外径の大きい杭部材の内径よりも外径が小さく、相対的に外径の大きい杭部材よりも長さが長いものとされたことを特徴とする簡易基礎を提供する。【選択図】図２
2007247249.tif 000002
【特許請求の範囲】
【請求項１】
地中に少なくとも一部が埋め込まれたことにより、地上に構築される構造物（Ｓ）を支持することのできる簡易基礎において、
本体部材（１）と杭部材（２）とを備え、
本体部材（１）は、構造物（Ｓ）を支持する部分であって、表面に設けられた入口穴（１３ａ）と出口穴（１３ｂ）とが組み合わされてなる杭部材貫通部（１３）を少なくとも３箇所に備え、
上記の杭部材貫通部（１３）における入口穴（１３ａ）と出口穴（１３ｂ）との間には、杭部材（２）を配位可能な空間が設けられ、
杭部材（２）は、基端側が打撃されることにより、上記杭部材貫通部（１３）の入口穴（１３ａ）と出口穴（１３ｂ）との間を通り、先端側が地中へと差し込まれるものであって、
上記杭部材貫通部（１３）の１箇所当たりに複数の杭部材（２）が１組として用いられ、
上記１組の杭部材の組み合わせのうちで、相対的に外径の小さい１本の杭部材が、相対的に外径の大きい１本の杭部材の内部を貫通するものとされ、
上記１組の杭部材の組み合わせのうちで最も内側を貫通する杭部材には、管状体あるいは中実の棒状体が用いられており、その他の杭部材には管状体が用いられており、
上記１組の杭部材の組み合わせのうち、相対的に外径の小さい杭部材は、相対的に外径の大きい杭部材の内径よりも外径が小さく、相対的に外径の大きい杭部材よりも長さが長いものとされており、
本体部材（１）の入口穴（１３ａ）の中心と出口穴（１３ｂ）の中心とを結ぶ線が、少なくとも、上記１組の杭部材の組み合わせのうちで最も外径の大きい杭部材（２１）の外径寸法分の距離を保つようにして、上記杭部材貫通部（１３）が設けられたことを特徴とする簡易基礎。
【請求項２】
上記本体部材（１）が、上記杭部材（２）を支持するための埋め込み部（１１）と、
埋め込み部（１１）の上方に設けられた、構造物（Ｓ）を支持するための蓋部（１２）とを有し、
埋め込み部（１１）は、上方に開口部（１１ａ）が設けられており、
蓋部（１２）は、少なくとも下面が平面とされ、かつ、この下面が上記開口部（１１ａ）の開口面積よりも大きな面積を有し、
上記の埋め込み部（１１）と蓋部（１２）とは、固定ボルト（３）の締結によって一体とされるものであり、
この固定ボルト（３）を貫通させるために、埋め込み部（１１）の底部には埋め込み部側貫通穴（１１ｂ）が、蓋部には蓋部側貫通穴（１２ａ）が、各々設けられており、
上記固定ボルト（３）が上記の各貫通穴（１１ｂ，１２ａ）に通された状態であって、かつ、締結が未だされていない状態においては、蓋部（１２）が埋め込み部（１１）に対して水平方向に移動可能であることを特徴とする、請求項１に記載の簡易基礎。
【請求項３】
少なくとも上記杭部材（２）のうちで、内部に別の杭部材（２）が貫通するものの先端に土止め部（４）が設けられたものであり、
この土止め部（４）は、当該杭部材（２）が地中へ差し込まれる際に、その先端の少なくとも一部を閉ざして、内部に侵入する土を少なくするためのものであり、
上記に加えてこの土止め部（４）は、当該杭部材（２）の先端から、上記別の杭部材（２）が突出することを許容するものであることを特徴とする、請求項１または２に記載の簡易基礎。
【請求項４】
各杭部材（２）の基端側に、引き抜きのための工具あるいは治具を係合可能な引掛部（２ａ）が設けられたことを特徴とする、請求項１〜３のいずれかに記載の簡易基礎。
【請求項５】
地上に構築される構造物（Ｓ）を支持するために、本体部材（１）と杭部材（２）とを備えた簡易基礎を地盤に固定する、簡易基礎の施工方法において、
本体部材（１）は、表面に設けられた入口穴（１３ａ）と出口穴（１３ｂ）とが組み合わされてなる杭部材貫通部（１３）を備え、
外径の異なる複数の杭部材（２）が１組として用いられ、
上記１組の杭部材の組み合わせのうちで、相対的に外径の小さい１本の杭部材が、相対的に外径の大きい１本の杭部材の内部を貫通するものとされ、
本体部材（１）を地面に配位するか、あるいは上記入口穴（１３ａ）が露出した状態で一部を地中に埋め込み、
まず、上記１組の杭部材の組み合わせのうちで最も外径の大きい杭部材（２１）を、本体部材内に貫通させ、先端側を地中へと打ち込み、
その後、次いで外径の大きい杭部材（２２）を、既に先端側が地中へと差し込まれた杭部材（２１）の基端側から内部に貫通させ、先端側を当該杭部材（２１）の先端側より突出するように、地中へと打ち込むことを特徴とする、簡易基礎の施工方法。
【発明の詳細な説明】
【技術分野】
【０００１】
本願発明は、構造物を地上に構築する際に用いる簡易基礎、及び簡易基礎の施工方法に関するものである。
【背景技術】
【０００２】
【特許文献１】米国特許第５０３９２５６号明細書
【０００３】
従来、公園における遊具や東屋、フェンス、仮設住宅などの比較的簡易な構造物に用いられる基礎には、地中に埋め込まれたコンクリートブロックなどが用いられてきた。
【０００４】
これは、地中に埋めるだけのものであるため、強度的に不安のあるものであった。しかし、一般の建築物のようにコンクリートを打設した強固な基礎を築くには、重機による地盤の掘り返しが必要になるなど、工事が大掛かりになってしまい、施工コストの面でも不利になる。
【０００５】
ここで、特許文献１に示されたような簡易的な基礎構造が提案されている。これは図１０に示すようなものであって、円筒状体１０１と杭部材１０２とが組み合わされたものであり、円筒状体１０１の内部にコンクリートを現場で詰めて使用するものである。この円筒状体１０１には、ガイドパイプ１０３が貫通するように配位されたものであって、杭部材１０２をこのガイドパイプ１０３を貫通させた後に、打撃により地中へと打ち込まれる。この打ち込まれた杭部材１０２の地盤に対する固着力により、円筒状体１０１が地盤に固定される。そして、このように固定された円筒状体１０１が構造物を支持することができる。
【発明の開示】
【発明が解決しようとする課題】
【０００６】
ここで、地盤が軟弱である場合に上記の基礎構造を用いるには、杭部材１０２の長さを長くしたり、杭部材１０２の本数を増やすことにより、地盤に対する固着力を確保する必要がある。しかしながら、長い杭部材１０２を用いる場合、杭部材１０２が撓みやすいために取り扱いが困難である。つまり、地中に一度に打ち込むために大きな打撃力が必要であり、しかも、地中で先端が折れ曲がらないようにしながら打撃するということは、実際には不可能に近い。
【０００７】
また杭部材１０２の本数を増やす場合は、それに対応して専用の円筒状体１０１を用いる必要がある。よって、地質の違いにそれぞれ対応できる形態の円筒状体１０１がそれぞれ必要となり、製造・販売・管理のいずれの場面においても煩雑となってしまい、汎用性が低いという問題がある。
【０００８】
本願発明はこのことに鑑み、汎用性のあるものであり、杭部材の打ち込みが比較的容易であり、地盤への固定を確実になすことができる、簡易基礎及び簡易基礎の施工方法を提供することを課題とする。
【課題を解決するための手段】
【０００９】
上記課題を解決するために、本願の請求項１に記載の発明は、地中に少なくとも一部が埋め込まれたことにより、地上に構築される構造物Ｓを支持することのできる簡易基礎において、本体部材１と杭部材２とを備え、本体部材１は、構造物Ｓを支持する部分であって、表面に設けられた入口穴１３ａと出口穴１３ｂとが組み合わされてなる杭部材貫通部１３を少なくとも３箇所に備え、上記の杭部材貫通部１３における入口穴１３ａと出口穴１３ｂとの間には、杭部材２を配位可能な空間が設けられ、杭部材２は、基端側が打撃されることにより、上記杭部材貫通部１３の入口穴１３ａと出口穴１３ｂとの間を通り、先端側が地中へと差し込まれるものであって、上記杭部材貫通部１３の１箇所当たりに複数の杭部材２が１組として用いられ、上記１組の杭部材の組み合わせのうちで、相対的に外径の小さい１本の杭部材が、相対的に外径の大きい１本の杭部材の内部を貫通するものとされ、上記１組の杭部材の組み合わせのうちで最も内側を貫通する杭部材には、管状体あるいは中実の棒状体が用いられており、その他の杭部材には管状体が用いられており、上記１組の杭部材の組み合わせのうち、相対的に外径の小さい杭部材は、相対的に外径の大きい杭部材の内径よりも外径が小さく、相対的に外径の大きい杭部材よりも長さが長いものとされており、本体部材１の入口穴１３ａの中心と出口穴１３ｂの中心とを結ぶ線が、少なくとも、上記１組の杭部材の組み合わせのうちで最も外径の大きい杭部材２１の外径寸法分の距離を保つようにして、上記杭部材貫通部１３が設けられたことを特徴とする簡易基礎を提供する。
【００１０】
また、本願の請求項２に記載の発明は、上記本体部材１が、上記杭部材２を支持するための埋め込み部１１と、埋め込み部１１の上方に設けられた、構造物Ｓを支持するための蓋部１２とを有し、埋め込み部１１は、上方に開口部１１ａが設けられており、蓋部１２は、少なくとも下面が平面とされ、かつ、この下面が上記開口部１１ａの開口面積よりも大きな面積を有し、上記の埋め込み部１１と蓋部１２とは、固定ボルト３の締結によって一体とされるものであり、この固定ボルト３を貫通させるために、埋め込み部１１の底部には埋め込み部側貫通穴１１ｂが、蓋部には蓋部側貫通穴１２ａが、各々設けられており、上記固定ボルト３が上記の各貫通穴１１ｂ，１２ａに通された状態であって、かつ、締結が未だされていない状態においては、蓋部１２が埋め込み部１１に対して水平方向に移動可能であることを特徴とする、請求項１に記載の簡易基礎を提供する。
【００１１】
また、本願の請求項３に記載の発明は、少なくとも上記杭部材２のうちで、内部に別の杭部材２が貫通するものの先端に土止め部４が設けられたものであり、この土止め部４は、当該杭部材２が地中へ差し込まれる際に、その先端の少なくとも一部を閉ざして、内部に侵入する土を少なくするためのものであり、上記に加えてこの土止め部４は、当該杭部材２の先端から、上記別の杭部材２が突出することを許容するものであることを特徴とする、請求項１または２に記載の簡易基礎を提供する。
【００１２】
また、本願の請求項４に記載の発明は、各杭部材２の基端側に、引き抜きのための工具あるいは治具を係合可能な引掛部２ａが設けられたことを特徴とする、請求項１〜３のいずれかに記載の簡易基礎を提供する。
【００１３】
また、本願の請求項５記載の発明は、地上に構築される構造物Ｓを支持するために、本体部材１と杭部材２とを備えた簡易基礎を地盤に固定する、簡易基礎の施工方法において、本体部材１は、表面に設けられた入口穴１３ａと出口穴１３ｂとが組み合わされてなる杭部材貫通部１３を備え、外径の異なる複数の杭部材２が１組として用いられ、上記１組の杭部材の組み合わせのうちで、相対的に外径の小さい１本の杭部材が、相対的に外径の大きい１本の杭部材の内部を貫通するものとされ、本体部材１を地面に配位するか、あるいは上記入口穴１３ａが露出した状態で一部を地中に埋め込み、まず、上記１組の杭部材の組み合わせのうちで最も外径の大きい杭部材２１を、本体部材内に貫通させ、先端側を地中へと打ち込み、その後、次いで外径の大きい杭部材２２を、既に先端側が地中へと差し込まれた杭部材２１の基端側から内部に貫通させ、先端側を当該杭部材２１の先端側より突出するように、地中へと打ち込むことを特徴とする、簡易基礎の施工方法を提供する。
【発明の効果】
【００１４】
本願の請求項１に記載の発明は、杭部材貫通部１３の１箇所当たりにおいて、複数の杭部材２が１組として用いられ、上記１組の杭部材の組み合わせのうちで、相対的に外径の小さい１本の杭部材が、相対的に外径の大きい１本の杭部材の内部を貫通するものとされ、上記１組の杭部材の組み合わせのうち、相対的に外径の小さい杭部材は、相対的に外径の大きい杭部材の内径よりも外径が小さく、相対的に外径の大きい杭部材よりも長さが長いものとされたことから、相対的に外径の小さい１本の杭部材と、相対的に外径の大きい１本の杭部材とが一部で重なり合うものとできる。そして、本体部材１に近い側に配位される杭部材２の方が多く重なり合うものとできるため、杭部材２の曲げ強度やせん断強度を、本体部材１に近い側の方をより大きくでき、従来のように一定の外径を有する杭を地中に差し込んだ場合に比べると、より効果的に本体部材１を支持することができ、これにより、構造物Ｓの耐震・耐風強度を向上させることができたものである。
また、鋼材の定尺寸法よりも短い杭部材２で十分に強度を負担可能であるため、杭部材２の製造及び運搬が容易である。また、杭部材２の本数を増加させることによって、軟弱な地盤にも対応できるため、従来のように、地質に応じて多種の本体部材１を用意する必要もなく、汎用性の高い簡易基礎が提供できたものである。
【００１５】
また、請求項２に記載の発明は、上記の効果に加え、蓋部１２が埋め込み部１１に対して水平方向に移動可能であることから、簡易基礎が地盤に設置された後の状態でも、構造物Ｓの設置予定位置に合わせて蓋部１２を水平移動させ、位置が揃ったところで固定ボルト３を締結し、埋め込み部１１と蓋部１２との位置関係を固定させることができる。このように、構造物Ｓに対しての位置合わせが容易であるため、構造物Ｓの側にも簡易基礎の側にも無理を与えることがなく、構造物Ｓの据付を容易になすことができたものである。
【００１６】
また、請求項３に記載の発明は、請求項１または２に記載の発明の効果に加え、少なくとも上記杭部材２のうちで、内部に別の杭部材２が貫通するものの先端に土止め部４が設けられたことから、杭部材２が管状体であっても、内部の空間に、別の杭部材２が貫通することの支障となる程度に土が入り込んでしまうことを防止できる。そのため、相対的に外径の大きい杭部材２の先端に至るまでは、相対的に外径の小さい杭部材２をほぼ無抵抗で差し込むことができる。加えて、途中までは相対的に外径の大きい杭部材２が相対的に外径の小さい杭部材２のガイドとなり得る。よって、実際に地盤の抵抗を受けつつ杭部材２を差し込むことになるのは、相対的に外径の大きい杭部材２の先端から地中に飛び出た区間のみであるため、従来のように長い杭部材の全体を単独で地中に差し込むものに比べ、はるかに容易に杭部材２を差し込むことができたものである。
【００１７】
また、請求項４に記載の発明は、請求項１〜３のいずれかに記載の発明の効果に加え、引き抜きのための工具あるいは治具を係合可能な引掛部２ａが設けられたことから、この引掛部２ａに工具あるいは治具を係合させることにより、容易に地中から杭部材２を引き抜くことができる。よって、この簡易基礎を仮設構造物に用いる基礎に用いた場合であっても、撤去作業が容易とされたものである。
【００１８】
また、請求項５に記載の発明は、上記１組の杭部材の組み合わせのうちで、相対的に外径の小さい１本の杭部材が、相対的に外径の大きい１本の杭部材の内部を貫通するものとされ、本体部材１を地面に配位するか、あるいは上記入口穴１３ａが露出した状態で一部を地中に埋め込み、まず、上記１組の杭部材の組み合わせのうちで最も外径の大きい杭部材２１を、本体部材内に貫通させ、先端側を地中へと打ち込み、その後、次いで外径の大きい杭部材２２を、既に先端側が地中へと差し込まれた杭部材２１の基端側から内部に貫通させ、先端側を当該杭部材２１の先端側より突出するように、地中へと打ち込むことから、相対的に外径の小さい１本の杭部材と、相対的に外径の大きい１本の杭部材とが一部で重なり合うものとできる。そして、本体部材１に近い側に配位される杭部材２の方が多く重なり合うものとできるため、杭部材２の曲げ強度やせん断強度を、本体部材１に近い側の方をより大きくでき、従来のように一定の外径を有する杭を地中に差し込んだ場合に比べると、より効果的に本体部材１を支持することができ、これにより、構造物Ｓの耐震・耐風強度を向上させることができる簡易基礎の施工方法が提供できたものである。
【発明を実施するための最良の形態】
【００１９】
以下、図面に基づき本願発明の一実施例をとりあげて説明する。図１〜図３は本例の簡易基礎を示し、図４は本例の土止めキャップを示す。
【００２０】
なお、本願発明に係る特許請求の範囲及び以下の記載における、「先端」とは、本体部材１を基準として地中へ向かう方向における、本体部材１から遠い側の端部を指し、「基端」とはその逆の端部を示す。また、「外径」及び「内径」とは、断面寸法を指すものであり、円形断面の径寸法に限定されるものではない。
【００２１】
本願発明に係る簡易基礎は、図１及び図２に示すように、地中に少なくとも一部が埋め込まれたことにより、地上に構築される構造物Ｓを支持することのできる本体部材１と、この本体部材１を地盤に対して固定するために地中に差し込まれる、複数の杭部材２とを備えたものである。
【００２２】
本体部材１は、金属や合成樹脂などからなるブロック状体である。この本体部材１は、下部が浅い地中に埋め込まれるものであり、上部が露出した状態となる場合があって、外気や雨水に触れるものであることから、耐候性及び耐腐食性に優れる材質とすることが望ましい。なお、コンクリート製とすることも可能であるが、重量が大きくなること、及び、誤って落下させた際に割れる恐れがあるため、あまり好ましくない。本例では、中空で略球形である鋼製ブロックとされており、表面には樹脂ライニングが施されている。表面処理は樹脂ライニングの他、亜鉛などのめっきや塗装によっても良い。
【００２３】
本例の本体部材１は上記のように中空とされたことから、軽量であり強度面でも優れている。よって、車両や重機を用いずに人力で現場に搬入することも可能である。また、この本体部材１は、構造物Ｓの重量や大きさによって、構造物Ｓを支持できる最適な大きさのものを提供できる。
【００２４】
この本体部材１の形態は、本例のような略球形の他、多面体、筒状体、紡錘形、弾丸形など、種々の形態にて実施することが可能である。ここで、その他の形態の例を図８及び図９に示す。図８に示すものは、側面を一周するようにリブ１１ｃを設けたものであり、このリブ１１ｃが地盤に対する固着力の一部を負担する。このリブ１１ｃに限らず、本体部材１には種々の形態の凹凸を設けて良い。また、図９に示すものは、平面視が略四角形の略多面体とされたものである。このように本体部材１を略多面体とした場合は、平面状に形成された側面に入口穴１３ａ及び出口穴１３ｂを形成することが可能である。よって、入口穴１３ａ及び出口穴１３ｂを設ける際の位置決めが比較的容易であるという利点を有する。
【００２５】
本例の本体部材１は、図１及び図２に示すように、埋め込み部１１と蓋部１２との２つのパーツから構成されている。埋め込み部１１は中空の略球状のものであって、後述するように杭部材２を配位可能な空間が内部に存在する。そして上方が水平方向に切り欠かれており、開口部１１ａが形成されている。この埋め込み部１１は、使用時において少なくとも一部が地中に埋め込まれて杭部材２が支持される。
【００２６】
上記のように埋め込み部１１は中空とされているため、杭部材２の配位されない部分にも空間が存在しているが、本体部材１をコンクリート製とした場合などでは、杭部材２が配位される部分のみに空間が設けられ、その他の部分は中実であっても良い。
【００２７】
蓋部１２は、埋め込み部１１の上方に設けられたものであって、上記開口部１１ａを覆うことのできるものである。開口部１１ａを覆うため、蓋部１２の少なくとも下面は平面とされている。本例では円板状体とされている。また、後述のように、埋め込み部１１に対して蓋部１２が水平方向に移動可能とされるため、この移動距離の分、上記開口部の開口面積１１ａよりもを大きな面積を有するものとされている。
【００２８】
上記の埋め込み部１１と蓋部１２とは、図２に示すように、１本の固定ボルト３の締結によって一体とされる。よって、この固定ボルト３を貫通させるために、埋め込み部１１の底部には埋め込み部側貫通穴１１ｂが、蓋部１２には固定支持部側貫通穴１２ａが、各々設けられている。本例では、いずれの貫通穴１１ｂ，１２ａも埋め込み部１１と蓋部１２の、平面視における略中央に設けられている。これらの貫通穴１１ｂ，１２ａは、後述のように固定ボルト３が傾斜することにより、蓋部１２を水平方向にずらせることができるように、固定ボルト３の軸径よりもやや大きい穴径とされている。
【００２９】
なお本例では、構造物Ｓと本体部材１とを連結するための構造物連結金具５が蓋部１２に取り付けられる。この取り付けは、構造物連結金具５に上記の固定ボルト３が通されることによってなされる。
【００３０】
ここで、固定ボルト３が上記の各貫通穴１１ｂ，１２ａに通された状態であり、かつ、締結が未だされていない状態においては、固定ボルト３と上記の各貫通穴１１ｂ，１２ａとの遊び、及び、埋め込み部１１の特に底部と蓋部１２との距離に応じて、蓋部１２が埋め込み部１１に対して水平方向に移動可能な状態となる。よって、簡易基礎が地盤に設置された後の状態でも、構造物Ｓの設置予定位置に合わせて蓋部１２を水平移動させ、位置が揃ったところで固定ボルト３を締結し、埋め込み部１１と蓋部１２との位置関係を固定させることができる。このように、構造物Ｓに対しての位置合わせが容易であるため、構造物Ｓの側にも簡易基礎の側にも無理を与えることがなく、構造物Ｓの据付を容易になすことができる。
【００３１】
埋め込み部１１の表面には、貫通穴である入口穴１３ａと出口穴１３ｂとが設けられている。上記のように、この入口穴１３ａと出口穴１３ｂとの間に空間が存在するため、図２に示すように、杭部材２を入口穴１３ａから出口穴１３ｂへと通すことができる。この入口穴１３ａと出口穴１３ｂとの組み合わせにより杭部材貫通部１３が構成されている。本例では、この杭部材貫通部１３が４箇所に備えられている。つまり、本例の本体部材１においては杭部材２を４組取り付けることができる。なお、杭部材２を最低限３組使用すれば、本体部材１を地盤に対して固定することが可能であるから、杭部材貫通部１３を少なくとも３箇所に備えたものであれば良い。
【００３２】
本例における本体部材１では、上記のように、中空の略球状体の表面に入口穴１３ａ及び出口穴１３ｂが設けられたものであるため、入口穴１３ａと出口穴１３ｂとの間には、杭部材２を入口穴１３ａから出口穴１３ｂへとガイドするための部材は設けられていない。よって実際の施工の際において、杭部材２を入口穴１３ａと出口穴１３ｂとの間に通すためには、図６に示すように、蓋部１２を取り付けない状態の埋め込み部１１のみをまず地盤に配位した状態とし、埋め込み部１１の開口部１１ａ越しに出口穴１３ｂを目視確認できるようにしておき、入口穴１３ａから出口穴１３ｂへと杭部材２を通す。
【００３３】
なお、特許文献１に記載の基礎構造にて用いられているものと同様に、本体部材１の入口穴１３ａと出口穴１３ｂとの間に、各穴間の距離よりもやや長い寸法を有するガイドパイプを配位しておき、このガイドパイプの内部に杭部材２を通す構造としても良い。こうした場合、上記のような目視確認を要さずに、入口穴１３ａから出口穴１３ｂへと杭部材２を通すことができる。
【００３４】
また、本例における杭部材貫通部１３の各々は、図３に示すように、入口穴１３ａの中心と出口穴１３ｂの中心とを結ぶ線が、少なくとも、最も外径の大きい杭部材である、第１杭部材２１の外径寸法分の距離を保つようにして、入口穴１３ａと出口穴１３ｂとが形成されたことにより杭部材２同士が干渉しないものとされている。なお本例では、図２に示すように、本体部材１の中央縦方向に固定ボルト３が取り付けられるため、図３に示すように、この固定ボルト３にも干渉しないよう杭部材貫通部１３が設けられる必要がある。
【００３５】
杭部材２は、基端側が打撃されることにより、上記の入口穴１３ａと出口穴１３ｂとの間を通り、先端側が地中へと差し込まれるものである。本願発明では、杭部材貫通部１３の１箇所当たりに複数の杭部材２が１組として用いられるものであるが、本例においては、第１杭部材２１、第２杭部材２２、第３杭部材２３の３本が１組として用いられている。
【００３６】
本例の杭部材２は、第１杭部材２１〜第３杭部材２３のいずれも直線状とされた管状体が用いられている。なお、上記杭部材の組み合わせのうちで最も内側を貫通する杭部材２（本例においては第３杭部材２３）については管状体ではなく、中実の棒状体であっても良い。また、直線状のものに限られず、地中への差し込みが困難にならない程度に湾曲したものであっても良い。また、円形断面のものに限られず、四角形などの多角形断面を有するものであっても良い。また、側面に地盤との固着力を強めるための凹凸や、内部に土の侵入がなされない程度の貫通穴を設けたものであっても良い。また、本例の杭部材２には外径が一定である直管を用いたが、外径を変化させたテーパ管を用いても良い。
【００３７】
上記の杭部材２（第１杭部材２１〜第３杭部材２３）はいずれも、上記のように入口穴１３ａ及び出口穴１３ｂを通すものであるため、これらの穴径よりも小さい外径を有する。なお、上記のように本体部材１にガイドパイプが配位される場合にあっては、このガイドパイプの内径よりも小さい外径を有するものとされる。
【００３８】
また、この杭部材２は、本例では炭素鋼、ステンレス鋼などからなる金属製の管状体が用いられたものとされているが、材質については、アルミニウム合金、銅合金、ＦＲＰ、カーボンファイバー製のものなど、地中への差し込みの際の抵抗が負担できるものであれば、種々のものを選択できる。
【００３９】
本例の杭部材２は、長さについては第１杭部材２１が最も短く、第３杭部材２３が最も長いものとされている。例えば、第１杭部材２１を１ｍ、第２杭部材２２を２ｍ、第３杭部材２３を３ｍとする。また、外径については第２杭部材２２が第１杭部材２１の内径よりも小さく、かつ、第３杭部材２３が第２杭部材２２の内径よりも小さくされている。つまり、杭部材貫通部１３の１箇所当たりにおける１組の杭部材の組み合わせのうち、相対的に外径の小さい杭部材は、相対的に外径の大きい杭部材の内径よりも外径が小さく、相対的に外径の大きい杭部材よりも長さが長いものとされている。
【００４０】
よって、上記１組の杭部材の組み合わせのうちで、相対的に外径の小さい１本の杭部材が、相対的に外径の大きい１本の杭部材の内部を貫通可能である。本例の杭部材２においては、図２に示すように、第２杭部材２２が第１杭部材２１の内部を貫通し、第３杭部材２３が第２杭部材２２の内部を貫通する。そしてこの貫通の際には、第１杭部材２１の先端から第２杭部材２２が突出し、第２杭部材２２の先端から第３杭部材２３が突出する。
【００４１】
このように、上記１組の杭部材の組み合わせのうちで、相対的に外径の小さい１本の杭部材と、相対的に外径の大きい１本の杭部材とが一部で重なり合う。本例では、図２に示すように、第１杭部材２１の全長分において第１杭部材２１〜第３杭部材２３の３本が重なり合い、第２杭部材２２の第１杭部材２１から突出した区間分において第２杭部材２２と第３杭部材２３の２本が重なり合う。このように、本体部材１に近い側に配位される杭部材２の方が多く重なり合うものとできるため、部分的に杭部材２の曲げ強度やせん断強度を大きくでき、杭部材２を地中に固定した際に本体部材１を確実に固定することができる。そして、従来においては、鋼材の定尺寸法（５．５ｍ）を超えた、７ｍ程度の特別な杭部材を必要とした場合があったが、本願発明に係る簡易基礎では、定尺寸法よりも短い杭部材２で、十分に強度を負担可能であり、そのため、杭部材２の製造及び運搬が容易である。また、杭部材２の本数を増加させることによって、軟弱な地盤にも対応できるため、従来のように、地質に応じて多種の本体部材１を用意する必要もなく、汎用性の高いものとできる。
【００４２】
本例の杭部材２の基端側には引掛部２ａが設けられている。この引掛部２ａは、地中に差し込まれた状態にある杭部材２を地中から引き抜くための工具あるいは治具を係合可能とした部分である。本例においては、各杭部材２（第１杭部材２１〜第３杭部材２３）の基端に設けられた、径方向への貫通穴とされている。この引掛部２ａは、図２に示すように、各杭部材２が地中に差し込まれた際においても、本体部材１から突出した状態で残しておくことが望ましい。この引掛部２ａに工具あるいは治具を係合させることにより、容易に地中から杭部材２を引き抜くことができるため、本願発明に係る簡易基礎を仮設構造物に用いる基礎に用いた場合であっても、撤去作業が容易にできる。この引掛部２ａは本例の貫通穴の他、杭部材２の側面に設けられた溝や突起など、種々の形態にて実施できる。
【００４３】
そして、杭部材２の先端には土止め部４が設けられる。本例では、杭部材２の先端に取り付け可能とされた土止めキャップ４として実施されている。この土止めキャップ４は、上記１組の杭部材の組み合わせにつき１つが用いられるもので、図４（Ａ）に示すように、杭部材２の内部に一部が差し込まれる杭部材係合部分４１と、杭部材２の先端よりも外側に露出する先端部分４２とを備えたものである。
【００４４】
先端部分４２は、上記１組の杭部材の組み合わせのうちで最も外側に配位される杭部材２の内径よりも大きな外径を有する部分である。本例では、第１杭部材２１の内径よりも大きな外径を有する略円錐状の部分である。
【００４５】
杭部材係合部分４１は、各杭部材２の内径と一致する外径を有する係合位置の各々にて、各杭部材２と係合し、これらの係合位置における外径が、杭部材係合部分４１における基端側よりも同先端側の方が大きいものとされている。本例の土止めキャップ４では、図４（Ａ）に示すように、先端側から順に第１部分４１ａ、第２部分４１ｂ、第３部分４１ｃの３つの部分が設けられており、基端側から先端側へと順次外径が拡大するようにして、同心の円筒状体が積み重ねられたような形態とされている。第１部分４１ａは第１杭部材２１の先端が係合する部分であって、係合位置４１ｄは第１部分４１ａの先端の位置（先端部分４２との間の段差）と一致している。第２部分４１ｂは第２杭部材２２の先端が係合する部分であって、係合位置４１ｅは第２部分４１ｂの先端の位置（第１部分４１ａとの間の段差）と一致している。第３部分４１ｃは第３杭部材２３の先端が係合する部分であって、係合位置４１ｆは第３部分４１ｃの先端の位置（第２部分４１ｂとの間の段差）と一致している。
【００４６】
この土止めキャップ４は、まず、杭部材係合部分４１の第１部分４１ａが第１杭部材２１の先端と係合し、先端部分４２が露出した状態で、第１杭部材２１と共に地中へ差し込まれる（図６（Ａ）参照）。そして次の段階で、第２杭部材２２が第１杭部材２１を貫通し、第２杭部材２２の先端が第１杭部材２１の先端から飛び出る際に、杭部材係合部分４１の第２部分４１ｂが第２杭部材２２の先端と係合することで、土止めキャップ４が第２杭部材２２の先端に乗り移る（図６（Ｂ）参照）。そして上記と同様にして、土止めキャップ４は第３杭部材２３の先端に乗り移る（図２参照）。つまりこの土止めキャップ４は、上記１組の杭部材の組み合わせにおける各杭部材２が順次地中に差し込まれるに伴い、相対的に外径の大きい杭部材２の先端から、相対的に外径の小さい杭部材２の先端へと順次乗り移るものである。
【００４７】
上記のように、杭部材２において最も先端側に配位されるものの先端には常に土止めキャップ４が配位されることから、杭部材２が管状体であっても、内部の空間に土が入り込むことがない。そのため、相対的に外径の大きい杭部材２の先端に至るまでは、相対的に外径の小さい杭部材２に手を添えるだけで差し込むことができる。つまり、ほぼ無抵抗で差し込むことができる。よって、実際に地盤の抵抗を受けつつ杭部材２を差し込むことになるのは、相対的に外径の大きい杭部材２の先端から地中に飛び出た区間のみである。そのため、従来のように長い杭部材の全体を地中に差し込むものに比べ、はるかに容易に作業できる。
【００４８】
ここで、図７（Ａ）に示すように、従来の杭部材１０２を地中に差し込むには、杭部材１０２を折り曲げないように真っ直ぐ打ち込むため、場合によっては打ち込み作業用の足場をわざわざ組む必要があった。一方、本願発明に係る簡易基礎では、図７（Ｂ）に示すように、まず短い第１杭部材２１を地中に打ち込み、その後、図７（Ｃ）に示すように、長い第２杭部材２２を打ち込むことができる。よって、各杭部材２の各々において地盤の抵抗を受けつつ差し込む長さを短くすることができるため、従来のように足場を組むことなく容易に施工できる。
【００４９】
なお本例の土止めキャップ４では、図４（Ａ）に示すように、杭部材係合部分４１の第１部分４１ａ、第２部分４１ｂ、第３部分４１ｃの３つの部分の間に段差を有し、各部分における外径は一定とされているが、土止めキャップ４の形態はこれに限られるものではない。例えば図４（Ｂ）に示すように、杭部材係合部分４１を基端側から先端側へと順次外径が拡大する円錐台状としても良い。この場合、第１杭部材２１との係合位置４１ｄ、第２杭部材２２との係合位置４１ｅ、第３杭部材２３との係合位置４１ｆは、図中に二点鎖線で示すように、各杭部材２１〜２３の内径と杭部材係合部分４１の外径とが一致する位置となる。
【００５０】
また、上記の土止めキャップ４はいずれも、杭部材２の内部に杭部材係合部分４１の一部を差し込むものであるが、これとは逆に、図４（Ｃ）に示すように、杭部材係合部分４１に凹部４３を形成しておき、杭部材２の先端をこの凹部４３に差し込むものとしても良い。なお、図示した凹部４３は、各杭部材２の外径に合わせて段状に内径が変化するものとしているが、一定の内径を有するものとしても良い。
【００５１】
その他、杭部材係合部分４１の表面に突起を形成しておき、この突起と杭部材２の内面とが係合するものとしても良く、種々の形態にて実施し得る。また、土止めキャップ４の先端部分４２についても、本例のような略円錐状に限られず、多角推状、弾丸状など、種々の形態にて実施し得る。また、材質についても、合成樹脂、木材、金属などの種々の材質が採用できる。
【００５２】
また、土止め部４の実施形態は、上記の土止めキャップ４に限られたものではなく、杭部材２の先端部が絞られたものとされ、この絞られた先端部が土止め部４とされたものであっても良い。詳しくは、少なくとも杭部材２のうちで、内部に別の杭部材２が貫通するものの先端に土止め部４が設けられ、この土止め部４が、その先端の少なくとも一部を閉ざして、内部に侵入する土を少なくするために機能するものであれば良い。
【００５３】
例えば、図５（Ａ）に示すように、第１杭部材２１の先端を、スリットや凹溝などの相対的に強度の小さい部分である弱め部４４を設けた上で塑性変形させるなどして絞っておき、この第１杭部材２１が単独で地中に差し込まれた状態では、先端が閉鎖されているために内部への土の侵入を防止することができ（図５（Ｂ）参照）、第１杭部材２１の内部に第２杭部材２２が貫通した際には、第１杭部材２１の上記弱め部４４が破壊されて先端が広がり、これにより、第２杭部材２２が突き抜けることのできるものとする（図５（Ｃ）参照）。
【００５４】
つまり、この場合の土止め部４は、管状体が用いられた杭部材２の先端部が、地中への差し込みが行われる際に当該杭部材２の内部に土が侵入することを防止できる程度に閉鎖されたものであって、かつ、この杭部材２の先端から、別の杭部材２が突出することを許容するものとされている。なお、上記の閉鎖は完全閉鎖でなくても良く、上記の別の杭部材２が内部を通過するのに支障のない程度に土が侵入する程度の開口が存在していても良い。
【００５５】
なお、上記の例では、杭部材２の先端が広がることによって、別の杭部材２が突出できるように開放されるものとしたが、これに限られず、当初一体とされていた杭部材２の先端部分が、他の杭部材２が突き抜けることにより当該杭部材２から分離するものであっても良い。
【００５６】
そして、本例においては、図２に示すように、杭部材２の基端側に耐候キャップ６が被せられている。この耐候キャップ６は本願発明において必須のものではないが、これを用いることにより、基端部が地上に露出した状態にある場合の、杭部材２の腐食を防止することができる。よって、将来に簡易基礎を撤去する場合であっても、耐候キャップ６を取り外した上、杭部材２の引掛部２ａに工具や治具を取り付けることにより、杭部材２を容易に引き抜くことができるため、仮設構造物の基礎として最適なものとできる。この耐候キャップ６は、杭部材２の基端部に嵌め込むものであっても良いし、本体部材１の入口穴１３ａにねじ込むものであっても良く、種々の取り付け方法を採用し得る。
【００５７】
次に、本例の簡易基礎の施工方法について説明する。
まず、本体部材１の埋め込み部１１に、下方から固定ボルト３を貫通させた状態とし、この状態の埋め込み部１１を地面に配位するか、あるいは本体部材１の入口穴１３ａが露出した状態で埋め込み部１１の一部を地中に埋め込む。そして、先端に土止めキャップ４を嵌め込んだ第１杭部材２１を、本体部材１の入口穴１３ａから出口穴１３ｂへと貫通させ、基端側を打撃することにより、第１杭部材２１を先端側から地中へ打ち込み、図６（Ａ）に示した状態とする。上記の打撃はハンマーなどを用いて人力で行っても良いし、エアハンマーなどの打撃機械を用いても良い。
【００５８】
上記のように第１杭部材２１を地中に打ち込んだ後、第２杭部材２２を上記第１杭部材２１の内部に貫通させ、図６（Ｂ）に矢印で示したように、第２杭部材２２の基端側を打撃することにより、先端側から地中へと打ち込む。この打ち込みは、第２杭部材２２の基端側を第１杭部材２１の基端側と略一致させるようにしてなされる。具体的には、図２に示すように、第１杭部材２１の基端から第２杭部材２２の引掛部２ａが露出した程度の状態とされる。
【００５９】
この際、当初第１杭部材２１の先端に嵌め込まれていた土止めキャップ４は（図６（Ａ）参照）、第２杭部材２２の先端が第１杭部材２１の先端よりも突出すると同時に、第２杭部材２２の先端に乗り移る（図６（Ｂ）参照）。上記にも説明したように、この際においては、途中まで第２杭部材２２を無抵抗で差し込むことができる。本例の杭部材２は、第１杭部材２１が１ｍ、第２杭部材２２が２ｍとされており、第２杭部材２２を実際に打撃する必要があるのは、第１杭部材２１の先端側に突出する１ｍ分だけである。加えて、途中までは第１杭部材２１が第２杭部材２２のガイドとなり得る。よって従来のように、例えば２ｍの杭を一度に地中に打ち込むことに比べると、はるかに容易に作業でき、地質の関係で長い杭部材２を用いる必要がある場合でも、単独で地中で打ち込む場合に比べてはるかに施工容易である。
【００６０】
次に、既に地中に打ち込まれた第１杭部材２１及び第２杭部材２２の内部に第３杭部材２３を配位し、上記と同じ要領でこの第３杭部材２３を地中へと打ち込む。この際、土止めキャップ４はこの第３杭部材２３の先端に乗り移る。
【００６１】
上記のようにして本体部材１が地盤に固定される。その後、埋め込み部１１の内部に突出した状態にある固定ボルト３に蓋部材１２を通す。また、必要に応じて構造物連結金具５やその他の付属部品を取り付ける。本例では構造物連結金具５が、固定ボルト３により蓋部材１２と共に取り付けられる。そして、固定ボルト３にナット３ａをねじ込むことにより締結がなされ、埋め込み部１１、蓋部１２、構造物連結金具５、その他付属部品が固定される。なお、埋め込み部１１と蓋部１２との間には防水パッキンを挟んでも良い。また、この固定ボルト３の締結に先立ち、既に説明したようにして蓋部１２を水平方向に移動させることにより構造物連結金具５と構造物Ｓの位置合わせが行われる。また、図６（Ａ）に示すように、第１杭部材２１のみが地中に打ち込まれた後であり、まだ第２杭部材２２及び第３杭部材２３が打ち込まれていない段階で、蓋部１２を埋め込み部１１に取り付けてしまっても良い。
【００６２】
上記のようにして地盤に固定された本体部材１の上部は露出したままであっても良いし、土やコンクリートにより被覆されたものであっても良い。そして、上記のように固定された本体部材の蓋部１２に対し、構造物Ｓを固定する。上記のように蓋部材１２が埋め込み部材１１に対して水平方向に移動可能とされたことにより、本体部材１と構造物Ｓの位置合わせを容易に行うことができるため、構造物Ｓにひずみを与えることなく設置可能である。
【００６３】
本例の場合、各杭部材２の基端は略一致した状態とされており、本体部材１から近い順に、第１杭部材２１〜第３杭部材２３が三重に重なり合った部分と、第２杭部材２２及び第３杭部材２３が二重に重なり合った部分とが存在している。よって、杭部材２の曲げ強度やせん断強度を、本体部材１に近い側の方をより大きくでき、従来のように一定の外径を有する杭を地中に差し込んだ場合に比べると、より効果的に本体部材１を支持することができ、これにより、構造物Ｓの耐震・耐風強度を向上させることができる。
【００６４】
なお、上記の説明では、地中への差し込み後の各杭部材２の基端側を略一致させるものとしたが、杭部材２の差し込み方法はこれに限られるものではない。例えば、第２杭部材２２あるいは第３杭部材２３と外径をほぼ等しくした治具を第１杭部材２１の基端側から挿入して打撃することにより、第２杭部材２２あるいは第３杭部材の基端側を第１杭部材２１の中間部分など、より先端寄りに配位し、その後に上記治具を引き抜くものとしても良い。こうすると、各杭部材２の重なり合う部分は小さくなるが、相対的に短い杭部材２であっても地中の奥深くまでの差し込みが可能となる。
【００６５】
上記のように、本願発明に係る簡易基礎は、従来の簡易的な基礎に比べ、簡便でしかも強度の優れたものであるため、公園や緑地などの遊歩道、橋、ベンチ、遊具、東屋、フェンスなどあらゆる構造物の基礎に適用が可能である。また、撤去が容易であるため、仮設住宅などの仮設構造物などの用途にも最適である。
【図面の簡単な説明】
【００６６】
【図１】本願発明の実施例に係る簡易基礎の斜視図であり、本体部材に第１杭部材のみを取り付けた場合を示す。
【図２】本願発明の実施例に係る簡易基礎を示す一部断面図である。
【図３】本願発明の実施例に係る簡易基礎を示す平面図である。
【図４】本願発明の実施例に係る土止めキャップを示す側面図であり、（Ａ）は実施の一例、（Ｂ）及び（Ｃ）は他の例を示す。
【図５】本願発明に係る杭部材の他の形状を示すものであり、（Ａ）は側面図、（Ｂ）は縦断面図、（Ｃ）は他の杭部材が内部を貫通した状態を示す縦断面図である。
【図６】（Ａ）（Ｂ）とも、本願発明の実施例に係る簡易基礎の施工要領を示す要部断面図である。
【図７】（Ａ）は従来の簡易基礎において杭部材を地中に差し込む様子を示す概略図であり、（Ｂ）及び（Ｃ）は本願発明の実施例に係る簡易基礎において杭部材を地中に差し込む様子を示す概略図である。
【図８】本願発明の他の実施例に係る簡易基礎の斜視図である。
【図９】本願発明の他の実施例に係る簡易基礎の斜視図である。
【図１０】従来の簡易基礎の一例を示す説明図である。
【符号の説明】
【００６７】
１        本体部材
１１      埋め込み部
１１ａ    開口部
１１ｂ    埋め込み部側貫通穴
１２      蓋部
１２ａ    蓋部側貫通穴
１３      杭部材貫通部
１３ａ    入口穴
１３ｂ    出口穴
２        杭部材
２ａ      引掛部
２１      第１杭部材
２２      第２杭部材
２３      第３杭部材
３        固定ボルト
４        土止め部、土止めキャップ
Ｓ        構造物
【図１】
2007247249.tif 000003
【図２】
2007247249.tif 000004
【図３】
2007247249.tif 000005
【図４】
2007247249.tif 000006
【図５】
2007247249.tif 000007
【図６】
2007247249.tif 000008
【図７】
2007247249.tif 000009
【図８】
2007247249.tif 000010
【図９】
2007247249.tif 000011
【図１０】
2007247249.tif 000012